(57)【要約】【課題】放電加工機における電極を容易且つ強固に取付けることができるばかりでなく、位置決め精度を向上することができる放電加工機用電極取付装置を提供する。【解決手段】回転操作環７にロック用板バネ２とロック用回転環３を連結固定して、ケーシング１３内に回動可能に収容し、径方向に摺動可能配置された４個のプルスタッド押圧駒１の押圧片摺動溝１ｃに、ロック用回転環３のボール押圧片３ａをロック用ボール６を介して嵌合させる。回転操作環７の回動により、プルスタッド押圧駒１が内径方向に移動してプルスタッド９を挟持すると共に、プルスタッド９の非装着時（ロック解除時）には離間した状態のボール押圧片３ａとロック用ボール６が、ロック用板バネ２の突起部２ａにより押圧されて当接し、プルスタッド押圧駒１がロックされる。【選択図】　図１
2004034268.tif 000002
【特許請求の範囲】
【請求項１】
回転操作体と電極挟持体とをバネとボールを介して連結し、回転操作体の回動により電極挟持体が電極を挟持すると共に、バネにより付勢されたボールにてロックされることを特徴とする放電加工機用電極取付装置。
【発明の詳細な説明】
【０００１】
【発明の属する技術分野】
本発明は、放電加工機で使用される電極の取付装置に関するものである。
【０００２】
【従来の技術】
従来の放電加工機における電極の取付けは、バネ力や油圧によるチャック式の取付装置で締め付け固定するものであった。具体的には、電極を取り付けたプルスタッドを開閉自在な割爪で挟み込んでバネ力や油圧により締結して固定するというものであった。
【０００３】
【発明が解決しようとする課題】
しかしながら、従来の電極取付装置は、プルスタッドを締結した後、特段のロック機構を有していないため、制限以上の荷重を受けると、取付けた電極にガタつき等が生じ、製品精度に支障をきたすという問題があった。また、油圧式の場合は油漏れにより同様の問題が発生した。本発明は、上記のような従来技術の問題点に鑑み、放電加工機における電極を容易且つ強固に取付けることができるばかりでなく、位置決め精度を向上することができる放電加工機用電極取付装置を提供することを目的とするものである。
【０００４】
【課題を解決するための手段】
この目的達成のため本発明の放電加工機用電極取付装置は、回転操作体と電極挟持体とをバネとボールを介して連結し、回転操作体の回動により電極挟持体が電極を挟持すると共に、バネにより付勢されたボールにてロックされることを特徴とする。
【０００５】
【発明の実施の形態】
以下、本発明の実施の形態を図面に示す実施例に基づいて説明する。
図１は本発明に係る放電加工機用電極取付装置を示す分解斜視図、図２（Ａ）は本発明に係る放電加工機用電極取付装置を示す正面図、（Ｂ）は平面図、図３（Ａ）はロックを解除した状態の内部機構を示す平面図、（Ｂ）はロック状態の内部機構を示す平面図である。
【０００６】
【実施例】
図２において、１１は加工用電極で、取付ホルダー１０を介して、上下に大径部（頭部）９ａ及び９ｂを有し小径部の周囲に側面凹部９ｃが形成された略鼓型のプルスタッド９に螺合され、加工用電極１１はこのプルスタッド９を介して本発明の電極取付装置１２に着脱される。
【０００７】
図１乃至図２に示すように、本発明の電極取付装置１２は、放電加工機のヘッド（図示せず）に取付けるためのヘッド取付用台座としての上ケーシング５と、加工用電極１１が取付けられた取付ホルダー１０を下方から嵌合するための電極嵌合用台座としての下ケーシング８とに分割されたケーシング１３内に、電極挟持体としてのプルスタッド押圧駒１、ロック用板バネ２、回転操作体としてのロック用回転環（小径の回転環）３並びに回転操作環（大径の回転環）７、ロック用ボール６等、以下詳述する部品を収納して構成されている。
【０００８】
矩形状の上ケーシング５内には、回転操作環収納凹所５ａが設けられ、円環状の回転操作環７の上部略半分が回動自在に嵌め込まれて収納されている。回転操作環７の内周面に形成された板バネ嵌合凹所７ａには、内周側に４個所の突起部２ａを有する環状のロック用板バネ２が固定リブ２ｂを介して嵌合固定されると共に、その外側面の任意の位置に棒状の操作レバー４を取り付けるための取付用のレバー取付孔７ｂが設けられ、操作レバー４を挿入して取付けるようにされている。
【０００９】
下ケーシング８には、その中央にプルスタッド９が出入可能に形成されたプルスタッド挿入口８ａが設けられると共に、回転操作環７の下部略半分が嵌め込まれて収納される回転操作環収納凹所８ｂと、４個のプルスタッド押圧駒１をそれぞれ径方向に摺動可能に保持する４箇所の押圧駒摺動溝８ｃが設けられている。プルスタッド押圧駒１は、内方側の端部がプルスタッド９の側面凹部９ａと嵌合可能に形成された押圧面１ａを有し、外方側端部上面にロック用ボール６が収容されるボール収容凹所１ｂが設けられると共に、後述するロック用回転駒３のボール押圧片３ａが嵌合される押圧片摺動溝１ｃが設けられている。ロック用回転環（小径の回転環）３は、回転操作環（大径の回転環）７の内周面に一体的に嵌合固定されると共に、プルスタッド９の頭部９ｂが挿通可能な貫通孔を持つ円環状に形成され、その環状部下端には４個所のボール押圧片３ａが等間隔を空けて下方に向かって突設されている。
【００１０】
すなわち、本発明の電極取付装置１２は、回転操作環７にロック用板バネ２とロック用回転環３を連結固定して、ケーシング１３内に回動可能に収容し、径方向に摺動可能配置された４個のプルスタッド押圧駒１の押圧片摺動溝１ｃに、ロック用回転環３のボール押圧片３ａをロック用ボール６を介して嵌合させる構成とされ、回転操作環７の回動により、プルスタッド押圧駒１が内径方向に移動してプルスタッド９を挟持すると共に、プルスタッド９の非装着時（ロック解除時）には離間した状態のボール押圧片３ａとロック用ボール６が、ロック用板バネ２の突起部２ａにより押圧されて当接し、プルスタッド押圧駒１がロックされるようになっている。
【００１１】
つまり図３に示すように、図３（Ａ）のロック解除状態から操作レバー４でもって回転操作環１２を時計廻りに６０度回転させると、図３（Ｂ）に示すように、これに追随して板バネ２とロック用回転環３が回動する。ロック用回転環３が回動することで、ボール押圧片３ａがプルスタッド押圧駒１の押圧片摺動溝１ｃ内を摺動し、プルスタッド押圧駒１が内径方向に移動してプルスタッド９を挟持する。同時にロック用板バネ２の突起部２ａがロック用ボール６を介してプルスタッド押圧駒１のボール押圧片３ａと一直線上に並ぶことで押圧されロック状態となる。ここで、ロック用ボール６の頂部が当接するロック用回転環３の周縁下面３ｂは内方に向かって下向きの傾斜角度約１５°を有する傾斜面とされており（図２（ａ）参照）、プルスタッド押圧駒１の微妙な上下動をも確実に防止することができ、挟持したプルスタッド９の平行度及び垂直度を高い精度で保つことができるようにされている。
【００１２】
尚、本発明は上記実施例に限定されず、本発明の要旨を逸脱しない範囲で種々の応用変形が可能である。例えば、上記実施例では、放電加工機用の電極取付装置として適用しているが、本発明構成を、放電加工機用の電極取付以外の加工具や治具の着脱を目的とする機械装置、例えば、各種切削・穿孔機械等に転用することも可能である。
【００１３】
【発明の効果】
以上本発明によれば、放電加工機における電極を容易且つ強固に取付けることができるばかりでなく、位置決め精度を向上することができるという優れた効果がある。
【図面の簡単な説明】
【図１】本発明に係る放電加工機用電極取付装置を示す分解斜視図である。
【図２】（Ａ）は本発明に係る放電加工機用電極取付装置を示す正面図、（Ｂ）は平面図である。
【図３】（Ａ）はロックを解除した状態の内部機構を示す平面図、（Ｂ）はロック状態の内部機構を示す平面図である。
【符号の説明】
１　　プルスタッド押圧駒
１ａ　押圧面
１ｂ　ボール収納凹所
１ｃ　押圧片摺動溝
２　　ロック用板バネ
２ａ　突起部
２ｂ　固定リブ
３　　ロック用回転環（小径の回転環）
３ａ　ボール押圧片
３ｂ　ロック用回転環の周縁下面（傾斜面）
４　　操作レバー
５　　上ケーシング（ヘッド取付用台座）
５ａ　回転操作環収納凹所（上側）
６　　ロック用ボール
７　　回転操作環（大径の回転環）
７ａ　板バネ嵌合凹所
７ｂ　レバー取付孔
８　　下ケーシング（電極嵌合用台座）
８ａ　プルスタッド挿入口
８ｂ　回転操作環収納凹所（下側）
８ｃ　押圧駒摺動溝
９　　プルスタッド
９ａ　プルスタッドの大径部（頭部）
９ｂ　プルスタッドの大径部
９ｃ　プルスタッドの側面凹部
１０　取付ホルダー
１１　電極
１２　電極取付装置
１３　ケーシング
【図１】
2004034268.tif 000003
【図２】
2004034268.tif 000004
【図３】
2004034268.tif 000005